(57)【要約】  【課題】  簡単な構成で簡単にフィンの開閉を行えるようにする。また、加えて、短時間に効率よく小屋裏換気できるようにする。  【解決手段】  小屋裏頂部に配設され排気用開口部３２を有するとともに一対の軸受部（３４）が排気用開口部３２の長手方向両端部の外側に設けられかつ底面部にはフィン係合面３５が形成されたルーフゲート３０と、このゲート３０の両軸受部（３４）に小判形状の中空軸４４を介して回動可能に支持されたルーフフィン４０と、中空軸４４の一端部内に挿入され当該中空軸４４の内面４５と摺接しつつ回転可能な中空軸駆動部材５１を有し当該中空軸駆動部材５１を介して中空軸４４を回動する回転駆動部５０とを備え、ルーフゲート３０の軸受部（３４）に、中空軸４４が回動されてフィン４０がフィン係合面３５と接触する場合に当該フィン４０を当該フィン係合面３５と密着する方向へ変位させかつ密着状態を維持する押圧係止面３７を設ける。  【選択図】        図１
2006188827.tif 000002
【特許請求の範囲】
【請求項１】
家屋の小屋裏頂部に配設されて当該小屋裏内の空気を外部へ
排気可能な小屋裏換気装置であって、
排気用開口部を有するとともに一対の軸受部が排気用開口部の長手方向両端部
の外側に設けられかつ底面部にはフィン係合面が形成されたルーフゲートと、こ
のルーフゲートの両軸受部に横断面内外形状が小判形状の中空軸を介して回動可
能に支持されたルーフフィンと、このルーフフィンの中空軸の一端部内に挿入さ
れ当該中空軸の内面と摺接しつつ回転可能な中空軸駆動部材を有し当該中空軸駆
動部材を介して中空軸を回動する回転駆動部とを備え、
ルーフゲートの軸受部に、中空軸が回動されてルーフフィンがフィン係合面と
接触する場合に当該ルーフフィンを当該フィン係合面と密着する方向へ変位させ
かつ密着状態を維持する押圧係止部を設けたことを特徴とする小屋裏換気装置。
【請求項２】
前記回転駆動部が、モータを備え、このモータの回転力を前
記中空軸駆動部材へ伝達する動力伝達機構の最終段の部材が当該中空軸駆動部材
とねじりスプリングを介して接続された請求項１に記載の小屋裏換気装置。
【請求項３】
前記中空軸駆動部材が、横断面形状が四角形状に形成された
請求項１又は２記載の小屋裏換気装置。
【請求項４】
前記ルーフゲートの排気用開口部と対向する位置にケーシン
グに保持されたモータ付き軸流ファンを設け、当該ケーシングを前記中空軸の中
間部分として用いることとした請求項１，２又は３記載の小屋裏換気装置。
【請求項５】
前記ルーフゲートの排気用開口部内にモータ付き軸流ファン
を設けた請求項１，２又は３記載の小屋裏換気装置。
【発明の詳細な説明】
【技術分野】
【０００１】
本発明は、小屋裏空間内の空気を外部へ排出可能な小屋裏換気装置に関する。
【背景技術】
【０００２】
本出願人は、小屋裏の空気を家屋内の環境に応じて外部へ排出したり排出を停止したりできる小屋裏換気装置を先に出願し特許を取得している（例えば、特許文献１参照。）。
【０００３】
この特許に係る小屋裏換気装置は、図１０および図１１に示すように、棟木に沿う雨よけとしての傘屋根１の下に、左右に空気通路を形成するように、断面が逆Ｕ字型の風止め傘２を複数個所定の間隔で側面雨３、雪防止板に配設した、うだつ部Ａを屋根下地２１に載上し、金属製の棟木５に、該棟木５に沿う長方形の開口を有し、該長方形の開口を開閉するように円筒面が当接し得る断熱開閉門６を嵌入し、該断熱開閉門６の両端には突出部を設け、回転軌道変更輪１０を配設して棟木部Ｂとし、棟木部Ｂの長方形の開口を開閉する円筒形の一部よりなるフィン９を設け、断熱開閉門６の両端の回転軌道変更輪１０と、フィン９の両端の突出部に、断面楕円形の軸１１を貫通し、束柱２４に枢着した断熱開閉部Ｃよりなるものである。
【０００４】
かかる小屋裏換気装置によれば、風止め傘２の効果により、如何なる方向の風に晒されても、室内の暖気を吸い出すのみで、逆流して室内に侵入することはない。また、従来のように、フィンの開閉をピニオンラックというような複雑な機構を用いず、ワンタッチ開閉にしたため、開閉機構は極めて簡素になる、等の優れた効果を有する。
【特許文献１】特許第２９０５４６４号公報
【発明の開示】
【発明が解決しようとする課題】
【０００５】
ところで、上記小屋裏換気装置では、フィンの開閉を行う場合には、作業者が小屋裏に入り込み、軸１１を直接手動で回す必要があるが、家屋の構造によっては、軸１１があるところまで辿りつくこと事態が困難なことがあり、簡単にフィンの開閉を行いたいとの要望がある。
【０００６】
ここで、軸１１にモータを接続し、遠隔操作で当該軸１１を回動してフィン９を開閉することが考えられる。しかし、軸１１は回動中単に軸線を中心として回転運動するだけではなく上下あるいは左右方向に変位してもいるので、モータの回転をそのまま伝えるだけではフィンの開閉を円滑に行うことができない。
【０００７】
また、短時間に効率よく小屋裏換気したいという要望もあるが、自然な空気の流れだけでは限度がある。
【０００８】
本発明の目的は、簡単な構成で容易にルーフフィンの開閉を行うことができる小屋裏換気装置を提供することにある。また、加えて、短時間に効率よく小屋裏換気することができる小屋裏換気装置を提供することも目的とする。
【課題を解決するための手段】
【０００９】
上記目的を達成するために、家屋の小屋裏頂部に配設されて当該小屋裏内の空気を外部へ排気可能な小屋裏換気装置であって、排気用開口部を有するとともに一対の軸受部が排気用開口部の長手方向両端部の外側に設けられかつ底面部にはフィン係合面が形成されたルーフゲートと、このルーフゲートの両軸受部に横断面内外形状が小判形状の中空軸を介して回動可能に支持されたルーフフィンと、このルーフフィンの中空軸の一端部内に挿入され当該中空軸の内面と摺接しつつ回転可能な中空軸駆動部材を有し当該中空軸駆動部材を介して中空軸を回動する回転駆動部とを備え、ルーフゲートの軸受部に、中空軸が回動されてルーフフィンがフィン係合面と接触する場合に当該ルーフフィンを当該フィン係合面と密着する方向へ変位させかつ密着状態を維持する押圧係止部を設けたものである。
【００１０】
上記請求項１の発明の場合、中空軸駆動部材から離れた場所（作業しやすい場所）で回転駆動部を作動させて中空軸駆動部材に回転力を与えることができる。中空軸駆動部材は、回転力を与えられると、中空軸の端部内面と摺接しつつ回動する。これに伴い、中空軸も回動することになるが、当該中空軸は回転の他に軸線と直角な方向（上下方向や左右方向）に変位できるので、軸受部の形状を適宜設定しておく（例えば、中空軸を遊びを多目にして支持する）ことにより、フィンがルーフゲートのフィン係合面と完全に接触するまでは、当該フィンのフィン係合面との接触を極力回避して回転負荷を軽減することができる。
【００１１】
そして、フィンがフィン係合面と完全接触する位置まで達すると、ルーフゲートの軸受部の押圧係止部が中空軸を押圧して当該フィンをフィン係合面に密着させる。そして、その状態を維持する。
【００１２】
このように、作業しやすい場所から回転駆動部を作動して中空軸駆動部材を回動させるだけで、回転負荷が小さい状態でルーフフィンをルーフゲートのフィン係合面に密着することができる。また、ルーフフィンをフィン係合面から簡単に離すことができる。その結果、簡単な構成で簡単にフィンの開閉を行うことができる。
【００１３】
請求項２の発明は、前記回転駆動部が、モータを備え、このモータの回転力を前記中空軸駆動部材へ伝達する動力伝達機構の最終段の部材が当該中空軸駆動部材とねじりスプリングを介して接続されたものである。
【００１４】
上記請求項２の発明の場合、請求項１記載の発明の場合と同様な作用・効果を奏し得るほか、例えば室内でスイッチ操作してモータを駆動することにより中空軸を回動させることができるので、簡単な構成でより一層容易にフィンの開閉を行える。また、モータの回転量にバラツキが生じたり、ルーフフィンやルーフゲートに寸法誤差があっても、ねじりスプリングの弾性力で中空軸をルーフフィンがフィン係合面と密着する方向へ付勢し、当該付勢を維持できる。このため、一段と確実にルーフゲートの排気用開口部を密閉できる。
【００１５】
請求項３の発明は、前記中空軸駆動部材が、横断面形状が四角形状に形成されたものである。
【００１６】
上記請求項３の発明の場合、請求項１又は２記載の発明の場合と同様な作用・効果を奏し得るほか、中空軸駆動部材を一段と簡単に製造できる。
【００１７】
請求項４の発明は、前記ルーフゲートの排気用開口部と対向する位置にケーシングに保持されたモータ付き軸流ファンを設け、当該ケーシングを前記中空軸の中間部分として用いることとしたものである。
【００１８】
上記請求項４の発明の場合、請求項１，２又は３記載の発明の場合と同様な作用・効果を奏し得るほか、一段と短時間に効率よく小屋裏換気することができる。また、軸流ファンを別に設置する必要がなく施工性が良い。また、軸流ファンのケーシングが中空軸の一部を兼ねるので占有スペースが少なくて済み、持ち運びやすい。また、取り付けやすい。
【００１９】
請求項５の発明は、前記ルーフゲートの排気用開口部内にモータ付き軸流ファンを設けたものである。
【００２０】
上記請求項５の発明の場合、請求項１，２又は３記載の発明の場合と同様な作用・効果を奏し得るほか、一段と短時間に効率よく小屋裏換気することができる。また、軸流ファンを別に設置する必要がなく施工性が良い。また、軸流ファンはルーフゲートに完全に収まるので、持ち運びやすい。また、取り付けやすい。
【発明の効果】
【００２１】
請求項１の発明によれば、ルーフゲートと、このルーフゲートの排気用開口部を開閉するルーフフィンと、このルーフフィンの中空軸に回転力を付与する回転駆動部とを備え、ルーフゲートの軸受部に、中空軸が回動されてルーフフィンがフィン係合面と接触する場合に当該ルーフフィンを当該フィン係合面と密着する方向へ変位させかつ密着状態を維持する押圧係止部を設けたので、作業しやすい場所から中空軸駆動部材へ回転力を供給して回動させるだけで、回転負荷が小さい状態でルーフフィンをルーフゲートのフィン係合面に密着させることができる。また、ルーフフィンをフィン係合面から簡単に離して排気用開口部を開放することができる。その結果、簡単な構成で一段と容易にフィンの開閉を行うことができる。
【００２２】
請求項２の発明によれば、回転駆動部が、モータを備え、このモータの回転力を前記中空軸駆動部材へ伝達する動力伝達機構の最終段の部材が当該中空軸駆動部材とねじりスプリングを介して接続されているので、請求項１記載の発明の場合と同様な効果を奏し得るほか、例えば室内でスイッチ操作してモータを駆動することにより中空軸を回動させることができるので、簡単な構成でより一層容易にフィンの開閉を行える。
【００２３】
請求項３の発明によれば、中空軸駆動部材が横断面形状が四角形状に形成されているので、請求項１又は２記載の発明の場合と同様な効果を奏し得るほか、中空軸駆動部材を一段と簡単に製造できる。
【００２４】
請求項４の発明によれば、ルーフゲートの排気用開口部と対向する位置にケーシングに保持されたモータ付き軸流ファンを設け、当該ケーシングを中空軸の中間部分として用いることとしたので、請求項１，２又は３記載の発明の場合と同様な効果を奏し得るほか、一段と短時間に効率よく小屋裏換気することができる。また、軸流ファンを別に設置する必要がなく施工性が良い。また、軸流ファンのケーシングが中空軸の一部を兼ねるので占有スペースが少なくて済み、持ち運びやすい。また、取り付けやすい。
【００２５】
請求項５の発明によれば、ルーフゲートの排気用開口部内にモータ付き軸流ファンを設けたので、請求項１，２又は３記載の発明の場合と同様な効果を奏し得るほか、一段と短時間に効率よく小屋裏換気することができる。また、軸流ファンを別に設置する必要がなく施工性が良い。また、軸流ファンはルーフゲートに完全に収まるので、持ち運びやすい。また、取り付けやすい。
【発明を実施するための最良の形態】
【００２６】
以下、本発明の実施形態を図面を参照して説明する。
【００２７】
本発明に係る小屋裏換気装置は、図１〜図４に示すように、ルーフゲート３０と、このルーフゲート３０の排気用開口部３２を開閉するルーフフィン４０と、このルーフフィン４０の中空軸４４に回転力を付与する回転駆動部５０とを備え、ルーフフィン４０を回転負荷を小さくした状態で回動して上記排気用開口部３２を密閉可能かつ開放可能に構成されている。
【００２８】
上記ルーフゲート３０は、小屋裏頂部に配設されるものであり、排気用開口部３２を有しているとともに、その底面部にはフィン係合面３５が形成されている。また、このルーフゲート３０には、一対の突起部（３３，３３）が排気用開口部３２の長手方向両端部の外側に離隔して設けられている。両突起部（３３，３３）には、ルーフフィン４０の中空軸４４の端部を支持する軸受部３４が設けられている。
【００２９】
軸受部３４は、中空軸４４の端部を遊びを持って支持している。具体的には、軸受部３４は、図１および図２に示すように、２７０°円弧で、後の９０°（同図中、右下部分）は直角の穴形状とされている。このルーフゲート３０の軸受部３４には、押圧係止部が設けられている。この実施形態では、押圧係止部は、図２に示すように、中空軸４４が回動されてルーフフィン４０がフィン係合面３５と接触する場合に、当該ルーフフィン４０を当該フィン係合面３５と密着する方向へ変位させかつ密着状態を維持する押圧係止面３７から形成されている。
【００３０】
なお、この実施形態では、ルーフゲート３０は、軽量化を図るために発泡樹脂製とされている。
【００３１】
次に、ルーフフィン４０は、上記したルーフゲート３０の両軸受部（３３，３３）に中空軸４４を介して支持されている。このルーフフィン４０は、その外面４１がルーフゲート３０の排気用開口部３２を覆える面積を有しており、その横断面形状が外側へ出っ張った円弧となるように形成されている。なお、ルーフフィン４０の内面４２は、その横断面形状が内側へ出っ張った円弧となるように形成されている。ルーフフィン４０は、ルーフゲート３０と同様に軽量化を図るために発泡樹脂製とされている。なお、ルーフゲート３０の外面４１（フィン係合面３５と接触する面）に、耐摩耗性のシートを貼り付けたり耐摩耗材を塗布してもよい。
【００３２】
また、上記した中空軸４４は、ルーフフィン本体を保持するもので、図１および図２に示すように、その横断面内外形状が小判形状となるように形成されている。この実施形態では、中空軸４４は鉄鋼製とされている。
【００３３】
次に、回転駆動部５０は、図７〜図９に示すように、ルーフフィン４０の中空軸４４の一端部内に挿入され当該中空軸４４の内面４５と摺接しつつ回転可能な中空軸駆動部材５１を備え、当該駆動部材５１を介して中空軸４４を回動する構成とされている。
【００３４】
この実施形態では、回転駆動部５０は、モータ５２を備え、このモータ５２の回転力を中空軸駆動部材５１へ伝達する動力伝達機構（ギヤボックス５６）の最終段の部材（この実施形態ではジョイント部材５３）が当該中空軸駆動部材５１とねじりスプリング５４を介して接続された構成とされている。
【００３５】
なお、中空軸駆動部材５１およびジョイント部材５３には、それぞれストッパ片（５９，５８）が設けられており、これらストッパ片（５９，５８）の作用により、所定角度範囲内（例えば、６０°範囲内）で相対回転可能とされている。また、図９中、５７はねじりスプリング５４をジョイント部材５３および中空軸駆動部材５１に固定するための止めピンである。また、この実施形態では、中空軸駆動部材５１は、横断面形状が四角形状に形成されている。
【００３６】
さらに、この実施形態では、図３〜図６に示すように、上記したルーフゲート３０の排気用開口部３２と対向する位置にケーシング６２に保持されたモータ６１付き軸流ファン（クロスフローファン）６０が設けられており、当該ケーシング６２は中空軸４４の中間部分を兼ねるものとされている。
【００３７】
上記構成の小屋裏換気装置では、例えば室内に回転駆動部５０のモータ５２のスイッチ（図示省略）を設置すれば、当該スイッチを操作するだけでモータ５２を駆動してその回転力を中空軸駆動部材５１に伝えられる。すると、中空軸駆動部材５１は中空軸４４の端部内面４５と摺接しつつ回動する。
【００３８】
これに伴い、中空軸４４も回動することになるが、当該中空軸４４は回転の他に軸線と直角な方向（上下方向や左右方向）に変位できるので、ルーフフィン４０がルーフゲート３０のフィン係合面３５と完全に接触するまでは、当該フィン４０のフィン係合面３５との接触を極力回避して回転負荷を大幅に軽減することができる。
【００３９】
そして、ルーフフィン４０が上記フィン係合面３５と完全接触する位置まで達すると、ルーフゲート３０の軸受部３４の押圧係止面３７が中空軸４４を上方へ押圧して当該フィン４０をフィン係合面３５に密着させる。そして、その状態を維持する。
【００４０】
このように、室内でスイッチ操作してモータ５２を駆動するだけで、回転負荷が小さい状態でルーフフィン４０をルーフゲート３０のフィン係合面３５に密着することができる。また、ルーフフィン４０をフィン係合面３５から離すことができる。その結果、簡単な構成で一段と簡単にルーフフィン４０の開閉を行うことができる。
【００４１】
また、モータ５２の回転力を中空軸駆動部材５１へ伝達する動力伝達機構の最終段の部材（ジョイント部材５３）が当該中空軸駆動部材５１とねじりスプリング５４を介して接続されているので、モータ５２の回転量にバラツキが生じたりルーフフィン４０やルーフゲート３０に寸法誤差があっても、ねじりスプリング５４の弾性力で中空軸４４をルーフフィン４０がフィン係合面３５と密着する方向へ付勢し、当該付勢を維持することができる。このため、一段と確実にルーフゲート３０の排気用開口部３２を密閉できる。
【００４２】
また、中空軸駆動部材５１が、横断面形状が四角形状に形成されているので、当該中空軸駆動部材５１を一段と簡単に製造できる。
【００４３】
また、ルーフゲート３０の排気用開口部３２と対向する位置にケーシング６２に保持されたモータ付き軸流ファン６０を設け、当該ケーシング６２を中空軸４４の中間部分として用いることとしたので、一段と短時間に効率よく小屋裏換気することができる。また、軸流ファン６０を別に設置する必要がなく施工性が良い。また、軸流ファン６０のケーシング６２が中空軸４４の一部を兼ねるので占有スペースが少なくて済み、持ち運びやすい。また、取り付けやすい。
【００４４】
また、ルーフフィン４０を発泡樹脂製としたので軽量となり、一段と回転負荷が少ない状態で回動させて開閉動作できる。また、ルーフフィン４０は、弾性に富んでおり、同じく弾性に富んだルーフゲート３０のフィン係合面３５に押し付けられた場合には、ともに弾性変形するので、この点からも密着度は極めて高い。
【００４５】
なお、図１中２点鎖線で示すように、ルーフゲート３０の排気用開口部３２内にモータ付き軸流ファン６０を設けてもよい。かかる構成にすれば、軸流ファン６０を別に設置する必要がなく施工性が良い。また、軸流ファン６０はルーフゲート３０に完全に収まるので、持ち運びやすい。また、取り付けやすい。
【図面の簡単な説明】
【００４６】
【図１】本発明の実施形態を説明するための側面図である。
【図２】中空軸駆動部材を回動させて、ルーフフィンをルーフゲートのフィン係合面に密着させた状態を示す図である。
【図３】待機位置に位置決めされたルーフフィンを説明するための正面図である。
【図４】閉鎖位置に位置決めされたルーフフィンを説明するための正面図である。
【図５】ルーフフィンの開閉動作を説明するための図である。
【図６】ルーフフィンの開閉動作を説明するための図である。
【図７】全体構成を説明するための斜視図である。
【図８】回転駆動部の取り付けを説明するための斜視図である。
【図９】回転駆動部を説明するための斜視図である。
【図１０】従来の小屋裏換気装置を説明するための図である。
【図１１】従来の小屋裏換気装置を説明するための図である。
【符号の説明】
【００４７】
３０    ルーフゲート
３２    排気用開口部
３４    軸受部
３５    フィン係合面
３７    押圧係止面
４０    ルーフフィン
４４    中空軸
４５    内面
５０    回転駆動部
５１    中空軸駆動部材
５２    モータ
５３    ジョイント部材
５４    ねじりスプリング
５６    ギヤボックス
６０    軸流ファン
６１    モータ
６２    ケーシング
【図１】
2006188827.tif 000003
【図２】
2006188827.tif 000004
【図３】
2006188827.tif 000005
【図４】
2006188827.tif 000006
【図５】
2006188827.tif 000007
【図６】
2006188827.tif 000008
【図７】
2006188827.tif 000009
【図８】
2006188827.tif 000010
【図９】
2006188827.tif 000011
【図１０】
2006188827.tif 000012
【図１１】
2006188827.tif 000013